(57)【特許請求の範囲】
【請求項１】
ケーブル（１８）の端部外周に防水部品（２０）を取り付けると共に、ケーブル（１８）の端部に露出させた導体に端子（２２）を取り付けてなる防水型ケーブル端末部において、
前記防水部品（２０）は、ケーブル（１８）の外被の外周に防水パッキングを介して取り付けられる筒部（２６）と、相手方端子を内蔵する防水ケースのケーブル導入穴を塞ぐ断面が略円形の栓部（３０）と、前記ケーブル導入穴の内周面に圧接される栓部（３０）の外周のシールリング（２８）と、前記防水ケースへの固定部（３２）とを一体に有していて、ケーブル（１８）を中心として回転可能で、かつケーブル軸線方向にスライド可能になっており、
前記端子（２２）は、そのボルト穴（２２ａ）がケーブル軸線から離れた位置でケーブル軸線と同方向を向くように、Ｌ字形に屈曲成形されており、
前記防水部品（２０）の栓部（３０）は、ケーブル軸線から外周面までの最短距離（Ｑ）がケーブル軸線から端子のボルト穴（２２ａ）までの距離（Ｐ）より小さくなるように、ケーブル（１８）に対して偏心して設けられており、
これによりケーブル軸線方向から見たときに、端子（２２）のボルト穴（２２ａ）が栓部（３０）の外周より外側に出るように防水部品（２０）の周方向の位置を定めた状態で、端子（２２）のボルト穴（２２ａ）を相手方端子にねじ止めするようになっている、
ことを特徴とする防水型ケーブル端末部。
【発明の詳細な説明】
【０００１】
【発明の属する技術分野】
本発明は、電気自動車内の配線等で、防水ケースに導入されて、防水ケース内で端子の接続が行われるケーブル端末部に関するものである。
【０００２】
【従来の技術】
従来のこの種のケーブル端末部を図３に示す。図において、10はケーブル、12はケーブル10の端部を段剥ぎして露出させた導体、14は同じく絶縁体、16はシールド層、18は外被である。また20はケーブル10の端部外周に取り付けられた防水部品、22はケーブル10の導体12に圧着された端子である。
【０００３】
防水部品20は、ケーブル10の外被18の外周に防水パッキング24を介して取り付けられる筒部26と、相手方防水ケース（後述）のケーブル導入穴を塞ぐ外周にシールリング28を有する栓部30と、前記防水ケースへの固定部32とを一体に有している。筒部26の後端には防水パッキング24の脱落を防止するためリテーナ34が取り付けられ、栓部30の先端にはシールリング28の脱落を防止するためストップリング36が取り付けられている。防水部品20は金属製（アルミ合金等のダイキャスト品）、防水パッキング24及びシールリング28はシリコンゴム製、リテーナ34及びストップリング36はＰＢＴ（ポリブチレンテレフタレート）等のプラスチック製である。
【０００４】
防水部品20は、栓部30の内周面に取り付けられたつづみ形の弾性接触部材38と、ケーブル絶縁体14の外周に装着されて一端がシールド層16の内側に差し込まれた内側スリーブ40とを介して、シールド層16と電気的に接続されている。シールド層16は、その外側に装着された外側スリーブ42をかしめることによって内側スリーブ40に圧着されている。内側スリーブ40及び外側スリーブ42は黄銅製である。防水部品20の固定部32にはボルト穴32ａが形成されている。
【０００５】
次に以上のように構成されたケーブル端末部を相手方機器に取り付ける方法を図４を参照して説明する。44はアルミ合金等のダイキャストで作製された相手方機器の防水ケースである。この防水ケース44の側面には、ケーブル導入穴46と、ケース内部には貫通しない雌ねじ穴48が形成されている。ケーブル端末部は、端子22の方からケーブル導入穴46に挿入し、栓部30をケーブル導入穴46に嵌合させた後、固定部32のボルト穴32ａに挿通したボルト（図示せず）を雌ねじ穴48にねじ込むことで、防水ケース44に固定される。この状態で、栓部30の外周のシールリング28がケーブル導入穴46の内周面に圧接するので、ケーブル導入穴46は水密に封止される。またケーブル10のシールド層16は、防水部品20を介して防水ケース44に電気的に接続される（接地される）。
【０００６】
上記のようにしてケーブル端末部を防水ケース44に固定すると、端子22が防水ケース44内に設置された相手方端子50上に配置されるので、端子22のボルト穴22ａにボルト（図示せず）を通して相手方端子50の雌ねじ穴50ａにねじ込むことにより、端子22を相手方端子50に締め付け接続することができる。この作業は防水ケース44の作業用開口52を通して行われる。図４ではケーブル端末部を一つだけ示したが、図示のようにケーブル導入穴46が複数ある場合にはその各々にケーブル端末部を取り付ける。すべてのケーブル導入穴46にケーブル端末部の取り付けた後に、作業用開口52を封止する。
【０００７】
作業用開口52の封止は次のようにして行う。すなわち、作業用開口52の周囲に掘られた溝54にシールリング56を嵌め込み、その上から蓋58を被せた後、蓋58のボルト穴58ａにボルト（図示せず）を挿通して防水ケース44の雌ねじ穴60にねじ込む。これにより蓋58は防水ケース44に水密に固定される。
【０００８】
【発明が解決しようとする課題】
従来の防水型ケーブル端末部は以上のような構成であるが、これには次のような問題がある。すなわち、ケーブル導体に圧着した端子を防水ケース内の相手方端子に接続する作業を行うために、防水ケースには作業用開口が設けられており、この作業用開口は端子接続後に封止しなければならないため、蓋やシールリング等の封止部品が必要となり、コスト高になる。またケーブル端末部の取付け作業は防水ケースのケーブル導入穴のある側面側からと、作業用開口のある上面側からの２方向から行う必要があり、防水ケースが狭い所に設置される場合には、作業を行うスペースの確保が困難である。
【０００９】
本発明の目的は、以上のような問題点に鑑み、防水ケースの作業用開口を不要にして、作業用開口の封止に必要な作業および部品を削減し、かつ作業スペースの確保を容易にした防水型ケーブル端末部を提供することにある。
【００１０】
【課題を解決するための手段】
この目的を達成するため本発明は、ケーブルの端部外周に防水部品を取り付けると共に、ケーブルの端部に露出させた導体に端子を取り付けてなる防水型ケーブル端末部において、
前記防水部品は、ケーブルの外被の外周に防水パッキングを介して取り付けられる筒部と、相手方端子を内蔵する防水ケースのケーブル導入穴を塞ぐ断面が略円形の栓部と、前記ケーブル導入穴の内周面に圧接される栓部の外周のシールリングと、前記防水ケースへの固定部とを一体に有していて、ケーブルを中心として回転可能で、かつケーブル軸線方向にスライド可能になっており、
前記端子は、そのボルト穴がケーブル軸線から離れた位置でケーブル軸線と同方向を向くように、Ｌ字形に屈曲成形されており、
前記防水部品の栓部は、ケーブル軸線から外周面までの最短距離Ｑがケーブル軸線から端子のボルト穴までの距離Ｐより小さくなるように、ケーブルに対して偏心して設けられており、
これによりケーブル軸線方向から見たときに、端子のボルト穴が栓部の外周より外側に出るように防水部品の周方向の位置を定めた状態で、端子のボルト穴を相手方端子にねじ止めするようになっている、
ことを特徴とするものである。
【００１１】
【発明の実施の形態】
以下、本発明の実施形態を図面を参照して詳細に説明する。
図１及び図２は本発明の一実施形態を示す。図１及び図２において、図３及び図４に示した従来例と実質的に同一の部分には同一の符号を付してあるので、重複する説明は省略する。
【００１２】
このケーブル端末部の端子22は、導体12に圧着された状態で、ボルト穴22ａがケーブル軸線から距離Ｐだけ離れてケーブル軸線と同方向を向くようにＬ字形に屈曲成形されている。このため防水ケース44のケーブル導入穴46はＬ字形の端子22が挿入できるように従来より大きく形成されている。また防水部品20の栓部30もケーブル導入穴46に合わせて従来より大きく形成されている。シールリング28及びストップリング36も同様である。
【００１３】
また栓部30はケーブル10に対して偏心して形成されている。偏心の程度は、ケーブル軸線から栓部30外周面までの最短距離Ｑが、ケーブル軸線から端子22のボルト穴22ａまでの距離Ｐより小さくなるように設定されている。
【００１４】
栓部30は上述のようにケーブル10の外径よりかなり大きなものとなるので、栓部30の内側には、ケーブル10と同軸状に内筒部62が一体に形成されている。この内筒部62の内周面にはつづみ形の弾性接触部材38が取り付けられ、この弾性接触部材38がケーブル10のシールド層18の外周に圧着された金属スリーブ64と接触している。これにより防水部品20はシールド層18と電気的に接続された状態となる。金属スリーブ64は、例えば黄銅等の金属条をシールド層18の上に強固に巻き付けて圧着することにより形成できる。この状態で防水部品20は、ケーブル10を中心として回転可能であり、かつケーブル軸線方向にスライド可能である。
【００１５】
以上のように構成されたケーブル端末部を相手方機器に取り付ける場合には、まず防水部品20をケーブル10のまわりに回転させて、ケーブル軸線方向から見たときに、端子22のボルト穴22ａが栓部30の外周より外側に出るように防水部品20の周方向の位置を定めると共に、防水部品20を後方にスライドさせて最終取付け位置より後退させておく。この状態で、ケーブル端末部を端子22の方からケーブル導入穴46に挿入し、端子22を防水ケース44内の相手方端子50に当接させる（このとき栓部30はケーブル導入穴46の手前にある）。その後、端子22のボルト穴22ａにボルト（図示せず）を通して相手方端子50の雌ねじ穴50ａにねじ込むことにより、端子22を相手方端子50に締め付け接続する。この作業は、端子22のボルト穴22ａが栓部30の外周より外側に出ていて、防水部品20の後方から目視可能であり、またボルトの締め付け工具も支障なく使用できるので、通常通り容易に行うことができる。
【００１６】
端子22の締め付け接続が済んだら、防水部品20をケーブル10のまわりに回転させて、固定部32のボルト穴32ａを防水ケース44の雌ねじ穴48と一致させ、その状態で防水部品20を前進させて、栓部30をケーブル導入穴46に押し込む。次いで、固定部32のボルト穴32ａにボルト（図示せず）を通して雌ねじ穴48にねじ込むと、防水部品20は防水ケース44に固定される。この状態で、栓部30の外周のシールリング28がケーブル導入穴46の内周面に圧接するので、ケーブル導入穴46は水密に封止される。またケーブル10のシールド層16は、防水部品20を介して防水ケース44に電気的に接続される（接地される）。
【００１７】
以上のようにこのケーブル端末部は、防水ケース44のケーブル導入穴46から端子22の締め付け接続を行えるので、従来のように防水ケースに作業用開口を設ける必要がなくなり、作業用開口の封止作業、封止部品が不要となるため、コストダウンを図ることができる。またケーブル端末部の取付け作業は、防水ケース44のケーブル導入穴46のある側面側からだけで行うことができるので、作業スペースの確保も容易である。
【００１８】
なお以上の実施形態では、防水ケースのケーブル導入穴を２個設けた場合を示したが、ケーブル導入穴の個数は相手機器の機能に応じて決まるので、３個以上になる場合もある。またケーブル導入穴の形は、円形だけでなく、長円形や楕円形であってもよい。また本発明はシールド層を接続する必要のないケーブル端末部にも同様に適用可能である。
【００１９】
【発明の効果】
以上説明したように本発明によれば、防水ケースのケーブル導入穴から端子の締め付け接続を行うことができるので、従来のように防水ケースに作業用開口を設ける必要がなくなり、作業用開口の封止作業、封止部品を削減できる。このためコストダウンを図ることができる。またケーブル端末部の取付け作業は、防水ケースのケーブル導入穴のある面側だけで行うことができるので、作業スペースの確保も容易である。
【図面の簡単な説明】
【図１】  （ａ）は本発明に係る防水型ケーブル端末部の一実施形態を示す断面図、（ｂ）は（ａ）のケーブル端末部と防水ケースの穴との位置関係を示す正面図。
【図２】  図１（ａ）のケーブル端末部を防水ケースに取り付ける方法を示す斜視図。
【図３】  従来の防水型ケーブル端末部を示す断面図。
【図４】  図３のケーブル端末部を防水ケースに取り付ける方法を示す斜視図。
【符号の説明】
10：ケーブル
12：導体
14：絶縁体
16：シールド層
18：外被
20：防水部品
22：端子
24：防水パッキング
26：筒部
28：シールリング
30：栓部
32：固定部
44：防水ケース
46：ケーブル導入穴
48：雌ねじ穴
50：相手方端子
【図１】
0004267771.tif 000002
【図２】
0004267771.tif 000003
【図３】
0004267771.tif 000004
【図４】
0004267771.tif 000005